(57)【要約】本発明は、家庭用電気機器の制御方法、統合制御システム及び家庭用電気センターである。当該制御方法は、複数の家庭用電気機器のパワー情報及び／又は電流情報を取得し、パワー情報及び／又は電流情報により、家庭用電気機器のパワーパラメータ及び／又は電流パラメータを選択的に調整する。よって、ユーザーの使用要求を満足する上に、家庭用電気機器の総パワー／総電流が過大であることによるトリップ停電の発生を避け、家庭用電気機器の使用への影響をないにし、ユーザー体験を向上させることができる。
2021530959.tif 000002
【特許請求の範囲】
【請求項１】
複数の家庭用電気機器のパワー情報及び／又は電流情報を取得し、
前記パワー情報及び／又は前記電流情報に基づいて、家庭用電気機器のパワーパラメータ及び／又は電流パラメータを選択的に調整することを含む
ことを特徴とする家庭用電気機器の制御方法。
【請求項２】
「前記パワー情報及び／又は前記電流情報により、家庭用電気機器のパワーパラメータ及び／又は電流パラメータを選択的に調整する」のステップは、
現在作動中の全部の家庭用電気機器の総パワーを取得し、
前記総パワーにより、現在作動中の一部又は全部の家庭用電気機器のパワーを選択的に調整することを含む
ことを特徴とする請求項１に記載の制御方法。
【請求項３】
「前記総パワーにより、現在作動中の一部又は全部の家庭用電気機器のパワーを選択的に調整する」のステップは、
前記総パワーが第１パワー閾値以上であるかどうかを判断し、
前記総パワーが前記第１パワー閾値以上であると、現在作動中の一部又は全部の家庭用電気機器のパワーを低減することを含む
ことを特徴とする請求項２に記載の制御方法。
【請求項４】
「前記総パワーにより、現在作動中の一部又は全部の家庭用電気機器のパワーを選択的に調整する」のステップは、
前記総パワーが第１パワー閾値以上であるかどうかを判断し、
前記総パワーが前記第１パワー閾値以上であると、現在作動中の一部又は全部の家庭用電気機器を停止することを含む
ことを特徴とする請求項２に記載の制御方法。
【請求項５】
「前記総パワーにより、現在作動中の一部又は全部の家庭用電気機器のパワーを選択的に調整する」のステップは、
前記総パワーが第１パワー閾値以上であるかどうかを判断し、
前記総パワーが前記第１パワー閾値以上であると、現在作動中の一部又は全部の家庭用電気機器のパワーを低減し、現在作動中の一部又は全部の家庭用電気機器を停止することを含む
ことを特徴とする請求項２に記載の制御方法。
【請求項６】
「前記総パワーにより、現在作動中の一部又は全部の家庭用電気機器のパワーを選択的に調整する」のステップは、
前記総パワーが前記第１パワー閾値未満であると、現在作動中の全部の家庭用電気機器のパワーを調整しないことをさらに含む
ことを特徴とする請求項３から５のいずれか一項に記載の制御方法。
【請求項７】
「前記パワー情報及び／又は前記電流情報により、家庭用電気機器のパワーパラメータ及び／又は電流パラメータを選択的に調整する」のステップは、
現在作動中の全部の家庭用電気機器の総パワーを取得し、
前記総パワーにより、現在作動していない家庭用電気機器を選択的に起動することを含む
ことを特徴とする請求項１に記載の制御方法。
【請求項８】
「前記総パワーにより、現在作動していない家庭用電気機器を選択的に起動する」のステップは、
前記総パワーが第２パワー閾値未満であるかどうかを判断し、
前記総パワーが前記第２パワー閾値未満であると、現在作動していない家庭用電気機器を起動することを含む
ことを特徴とする請求項７に記載の制御方法。
【請求項９】
「前記総パワーにより、現在作動していない家庭用電気機器を選択的に起動する」のステップは、
総パワーが第２パワー閾値以上であると、現在作動していない家庭用電気機器を起動しないことをさらに含む
ことを特徴とする請求項８に記載の制御方法。
【請求項１０】
「前記パワー情報及び／又は前記電流情報により、家庭用電気機器のパワーパラメータ及び／又は電流パラメータを選択的に調整する」のステップは、
現在作動中の全部の家庭用電気機器の総パワーを取得し、
前記総パワーにより、現在作動中の一部又は全部の家庭用電気機器のパワーを選択的に調整し、現在作動していない家庭用電気機器を起動することを含む
ことを特徴とする請求項１に記載の制御方法。
【請求項１１】
「前記総パワーにより、現在作動中の一部又は全部の家庭用電気機器のパワーを選択的に調整し、現在作動していない家庭用電気機器を起動する」のステップは、
前記総パワーが第３パワー閾値未満であるかどうかを判断し、
前記総パワーが前記第３パワー閾値未満であると、現在作動していない家庭用電気機器を直接に起動することを含む
ことを特徴とする請求項１０に記載の制御方法。
【請求項１２】
「前記総パワーにより、現在作動中の一部又は全部の家庭用電気機器のパワーを選択的に調整し、現在作動していない家庭用電気機器を起動する」のステップは、
前記総パワーが前記第３パワー閾値以上であると、現在作動中の一部又は全部の家庭用電気機器のパワーを低減してから、現在作動していない家庭用電気機器を起動することをさらに含む
ことを特徴とする請求項１１に記載の制御方法。
【請求項１３】
「前記総パワーにより、現在作動中の一部又は全部の家庭用電気機器のパワーを選択的に調整し、現在作動していない家庭用電気機器を起動する」のステップは、
前記総パワーが前記第３パワー閾値以上であると、現在作動中の一部又は全部の家庭用電気機器を停止してから、現在作動していない家庭用電気機器を起動することをさらに含む
ことを特徴とする請求項１１に記載の制御方法。
【請求項１４】
「前記総パワーにより、現在作動中の一部又は全部の家庭用電気機器のパワーを選択的に調整し、現在作動していない家庭用電気機器を起動する」のステップは、
前記総パワーが前記第３パワー閾値以上であると、現在作動中の一部の家庭用電気機器のパワーを低減し、現在作動中の一部の家庭用電気機器を停止してから、現在作動していない家庭用電気機器を起動することをさらに含む
ことを特徴とする請求項１１に記載の制御方法。
【請求項１５】
「前記パワー情報及び／又は前記電流情報により、家庭用電気機器のパワーパラメータ及び／又は電流パラメータを選択的に調整する」のステップは、
現在作動中の全部の家庭用電気機器の総電流を取得し、前記総電流により、現在作動中の一部又は全部の家庭用電気機器の電流を選択的に調整することを含む
ことを特徴とする請求項１に記載の制御方法。
【請求項１６】
「前記総電流により、現在作動中の一部又は全部の家庭用電気機器の電流を選択的に調整する」のステップは、
前記総電流が第１電流閾値以上であるかどうかを判断し、
前記総電流が前記第１電流閾値以上であると、現在作動中の一部又は全部の家庭用電気機器の電流を低減することを含む
ことを特徴とする請求項１５に記載の制御方法。
【請求項１７】
「前記総電流により、現在作動中の一部又は全部の家庭用電気機器の電流を選択的に調整する」のステップは、
前記総電流が第１電流閾値以上であるかどうかを判断し、前記総電流が前記第１電流閾値以上であると、
現在作動中の一部又は全部の家庭用電気機器を停止することを含むことを特徴とする請求項１５に記載の制御方法。
【請求項１８】
「前記総電流により、現在作動中の一部又は全部の家庭用電気機器の電流を選択的に調整する」のステップは、
前記総電流が第１電流閾値以上であるかどうかを判断し、前記総電流が前記第１電流閾値以上であると、
現在作動中の一部又は全部の家庭用電気機器の電流を低減し、現在作動中の一部又は全部の家庭用電気機器を停止することを含む
ことを特徴とする請求項１５に記載の制御方法。
【請求項１９】
「前記総電流により、現在作動中の一部又は全部の家庭用電気機器の電流を選択的に調整する」のステップは、
前記総電流が前記第１電流閾値未満であると、現在作動中の全部の家庭用電気機器の電流を調整しないことをさらに含む
ことを特徴とする請求項１６から１８のいずれか一項に記載の制御方法。
【請求項２０】
「前記パワー情報及び／又は前記電流情報により、家庭用電気機器のパワーパラメータ及び／又は電流パラメータを選択的に調整する」のステップは、
現在作動中の全部の家庭用電気機器の総電流を取得し、前記総電流により、現在作動していない家庭用電気機器を選択的に起動することを含む
ことを特徴とする請求項１に記載の制御方法。
【請求項２１】
「前記総電流により、現在作動していない家庭用電気機器を選択的に起動する」のステップは、
前記総電流が第２電流閾値未満であるかどうかを判断し、前記総電流が前記第２電流閾値未満であると、現在作動していない家庭用電気機器を起動することを含む
ことを特徴とする請求項２０に記載の制御方法。
【請求項２２】
「前記総電流により、現在作動していない家庭用電気機器を選択的に起動する」のステップは、
総電流が第２電流閾値以上であると、現在作動していない家庭用電気機器を起動しないことをさらに含む
ことを特徴とする請求項２１に記載の制御方法。
【請求項２３】
「前記パワー情報及び／又は前記電流情報により、家庭用電気機器のパワーパラメータ及び／又は電流パラメータを選択的に調整する」のステップは、
現在作動中の全部の家庭用電気機器の総電流を取得し、
前記総電流により、現在作動中の一部又は全部の家庭用電気機器の電流を選択的に調整し、現在作動していない家庭用電気機器を起動することを含む
ことを特徴とする請求項１に記載の制御方法。
【請求項２４】
「前記総電流により、現在作動中の一部又は全部の家庭用電気機器の電流を選択的に調整し、現在作動していない家庭用電気機器を起動する」のステップは、
前記総電流が第３電流閾値未満であるかどうかを判断し、
前記総電流が前記第３電流閾値未満であると、現在作動していない家庭用電気機器を直接に起動することを含む
ことを特徴とする請求項２３に記載の制御方法。
【請求項２５】
「前記総電流により、現在作動中の一部又は全部の家庭用電気機器の電流を選択的に調整し、現在作動していない家庭用電気機器を起動する」のステップは、
前記総電流が前記第３電流閾値以上であると、現在作動中の一部又は全部の家庭用電気機器の電流を低減してから、現在作動していない家庭用電気機器を起動することをさらに含む
ことを特徴とする請求項２４に記載の制御方法。
【請求項２６】
「前記総電流により、現在作動中の一部又は全部の家庭用電気機器の電流を選択的に調整し、現在作動していない家庭用電気機器を起動する」のステップは、
前記総電流が前記第３電流閾値以上であると、現在作動中の一部又は全部の家庭用電気機器を停止してから、現在作動していない家庭用電気機器を起動することをさらに含む
ことを特徴とする請求項２４に記載の制御方法。
【請求項２７】
「前記総電流により、現在作動中の一部又は全部の家庭用電気機器の電流を選択的に調整し、現在作動していない家庭用電気機器を起動する」のステップは、
前記総電流が前記第３電流閾値以上であると、現在作動中の一部の家庭用電気機器の電流を低減し、現在作動中の一部の家庭用電気機器を停止してから、現在作動していない家庭用電気機器を起動することをさらに含む
ことを特徴とする請求項２４に記載の制御方法。
【請求項２８】
「複数の家庭用電気機器のパワー情報及び／又は電流情報を取得する」のステップの前、同時、又は後に、
前記複数の家庭用電気機器の間の通信プロトコルを制定し、
前記通信プロトコルに基づいて前記複数の家庭用電気機器をネットワークに組成することをさらに含み、
ただし、前記通信プロトコルが前記複数の家庭用電気機器の間の作動優先度を含むことを特徴とする請求項１に記載の制御方法。
【請求項２９】
前記複数の家庭用電気機器を前記作動優先度の順で作動させることをさらに含む
ことを特徴とする請求項２８に記載の制御方法。
【請求項３０】
「前記複数の家庭用電気機器を前記作動優先度の順で作動させる」のステップは、
優先度の低い家庭用電気機器を停止し、優先度の高い家庭用電気機器を起動することを含む
ことを特徴とする請求項２９に記載の制御方法。
【請求項３１】
「前記複数の家庭用電気機器を前記作動優先度の順で作動させる」のステップは、
優先度の低い家庭用電気機器のパワー／電流を低減し、優先度の高い家庭用電気機器を起動することを含む
ことを特徴とする請求項２９に記載の制御方法。
【請求項３２】
「前記複数の家庭用電気機器を前記作動優先度の順で作動させる」のステップは、
優先度の低い一部の家庭用電気機器を停止し、優先度の低い一部の家庭用電気機器のパワー／電流を低減し、優先度の高い家庭用電気機器を起動することを含む
ことを特徴とする請求項２９に記載の制御方法。
【請求項３３】
「前記複数の家庭用電気機器を前記作動優先度の順で作動させる」のステップは、
優先度の高い家庭用電気機器の作動中に、優先度の低い家庭用電気機器の起動を拒絶する
ことを含むことを特徴とする請求項２９に記載の制御方法。
【請求項３４】
前記パワー情報及び／又は前記電流情報をローカルサーバ又はクラウドサーバにアップロードして分析と処理を行うことをさらに含む
ことを特徴とする請求項１に記載の制御方法。
【請求項３５】
複数の家庭用電気機器に用いられる統合制御システムであって、
家庭用電気機器ごとに対応して配置され、対応する家庭用電気機器を制御する複数の制御モジュールと、
特定の通信プロトコルを介して前記制御モジュールと通信し、前記制御モジュールから家庭用電気機器毎のパワー及び／又は電流を受信し、且つ前記制御モジュールに制御指示を送信することで、前記複数の家庭用電気機器を集中制御する集中制御器と、を備える
ことを特徴とする統合制御システム。
【請求項３６】
前記集中制御器と通信することで、前記複数の家庭用電気機器の総負荷を収集する検針器をさらに備える
ことを特徴とする請求項３５に記載の制御システム。
【請求項３７】
前記集中制御器は、ローカル制御器又はクラウド制御器である
ことを特徴とする請求項３５に記載の制御システム。
【請求項３８】
複数の家庭用電気機器を含む家庭用電気センターであって、
請求項３５から３７のいずれか一項に記載の制御システムを含む
ことを特徴とする家庭用電気センター。
【発明の詳細な説明】
【技術分野】
【０００１】
本発明は、家庭用電気技術分野に属し、特に家庭用電気機器の制御方法、制御システム、及び家庭用電気センターを提供する。
【背景技術】
【０００２】
家庭用電気機器（即ち、家電製品）とは、家庭に置かれて、人々の生活を支援する設備を意味する。その機能と用途によって、冷凍電器（冷蔵庫、ドリンク機等）、空調電器（エアコン、空気散湿器等）、洗浄電器（洗濯機、乾燥機、掃除機等）、台所電器（電気炊飯器、電子レンジ、電気オーブン等）、電気暖房器具（電気毛布、電気ヒーター等）、美容保健器具（電気シェーバ、電気ブロー等）、音像電器（テレビ、コンピュータ、ラジオ等）、及びその他の電器（煙警報器、電気ベル等）に分類される。前記家庭用電気機器により、より快適で美しく、心身健康に寄与する生活環境と仕事環境を作成し、豊かな文化や娯楽条件を提供することができる。
【０００３】
現在の家庭用電のパワーは、そのパワーと電流には、上限があり、例えば、家庭用の一般供給電流は３０Ａに制限される。一部の新しい住宅地では３５Ａに達することができるが、総パワーは一般的に６０００Ｗに制限されるのが適切である。従って、全部の家庭用電気機器を同時に使用することが不可能となり、特にパワーの大きい家庭用電気機器は、使用時にピークを避ける必要がある。また、家庭用電気機器を使用する時、ソケットの定格許容限界を超え、トリップ停電することが発生しないように、同一のソケットに多くの設備を同時に接続してはいけない。しかし、実際の利用状況では、ユーザーは、家庭用電気機器のリアルタイムの作動パワーを一々知るわけはないため、家庭用電制限を超えない限りどんな数の家庭用電気機器を使用できるかを明確に判断できない。よって、現在の時点では、トリップ停電はまた常に発生する。トリップ停電が発生すると、家庭用電気機器の正常な使用に影響を与えるに違いない。
【０００４】
そのため、前記問題を解決するために、本分野では、新たな家庭用電気機器の制御方法、統合制御システム及び対応する家庭用電気センターが必要となる。
【発明の概要】
【０００５】
従来技術の上記問題を解決するために、即ち、複数の家庭用電気機器の使用中にトリップ停電が発生すると、家庭用電気機器の正常な使用に影響を与えるという既存の問題を解決するために、本発明は、複数の家庭用電気機器のパワー情報及び／又は電流情報を取得し、パワー情報及び／又は電流情報により、家庭用電気機器のパワーパラメータ及び／又は電流パラメータを選択的に調整することを含む家庭用電気機器の制御方法を提供する。
【０００６】
前記制御方法の好ましい技術案において、「パワー情報及び／又は電流情報により、家庭用電気機器のパワーパラメータ及び／又は電流パラメータを選択的に調整する」のステップは、現在作動中の全部の家庭用電気機器の総パワーを取得し、総パワーにより、現在作動中の一部又は全部の家庭用電気機器のパワーを選択的に調整することを含む。
【０００７】
前記制御方法の好ましい技術案において、「総パワーにより、現在作動中の一部又は全部の家庭用電気機器のパワーを選択的に調整する」のステップは、総パワーが第１パワー閾値以上であるかどうかを判断し、総パワーが第１パワー閾値以上であると、現在作動中の一部又は全部の家庭用電気機器のパワーを低減することを含む。
【０００８】
前記制御方法の好ましい技術案において、「総パワーにより、現在作動中の一部又は全部の家庭用電気機器のパワーを選択的に調整する」のステップは、総パワーが第１パワー閾値以上であるかどうかを判断し、総パワーが第１パワー閾値以上であると、現在作動中の一部又は全部の家庭用電気機器を停止することを含む。
【０００９】
前記制御方法の好ましい技術案において、「総パワーにより、現在作動中の一部又は全部の家庭用電気機器のパワーを選択的に調整する」のステップは、総パワーが第１パワー閾値以上であるかどうかを判断し、総パワーが第１パワー閾値以上であると、現在作動中の一部の家庭用電気機器のパワーを低減し、現在作動中の一部の家庭用電気機器を停止することを含む。
【００１０】
前記制御方法の好ましい技術案において、「総パワーにより、現在作動中の一部又は全部の家庭用電気機器のパワーを選択的に調整する」のステップは、総パワーが第１パワー閾値未満であると、現在作動中の全部の家庭用電気機器のパワーを調整しないことをさらに含む。
【００１１】
前記制御方法の好ましい技術案において、「パワー情報及び／又は電流情報により、家庭用電気機器のパワーパラメータ及び／又は電流パラメータを選択的に調整する」のステップは、現在作動中の全部の家庭用電気機器の総パワーを取得し、総パワーにより、現在作動していない家庭用電気機器を選択的に起動することを含む。
【００１２】
前記制御方法の好ましい技術案において、「総パワーにより、現在作動していない家庭用電気機器を選択的に起動する」のステップは、総パワーが第２パワー閾値未満であるかどうかを判断し、総パワーが第２パワー閾値未満であると、現在作動していない家庭用電気機器を起動することを含む。
【００１３】
前記制御方法の好ましい技術案において、「総パワーにより、現在作動していない家庭用電気機器を選択的に起動する」のステップは、総パワーが第２パワー閾値以上であると、現在作動していない家庭用電気機器を起動しないことをさらに含む。
【００１４】
前記制御方法の好ましい技術案において、「パワー情報及び／又は電流情報により、家庭用電気機器のパワーパラメータ及び／又は電流パラメータを選択的に調整する」のステップは、現在作動中の全部の家庭用電気機器の総パワーを取得し、総パワーにより、現在作動中の一部又は全部の家庭用電気機器のパワーを選択的に調整し、現在作動していない家庭用電気機器を起動することを含む。
【００１５】
前記制御方法の好ましい技術案において、「総パワーにより、現在作動中の一部又は全部の家庭用電気機器のパワーを選択的に調整し、現在作動していない家庭用電気機器を起動する」のステップは、総パワーが第３パワー閾値未満であるかどうかを判断し、総パワーが第３パワー閾値未満であると、現在作動していない家庭用電気機器を直接に起動することを含む。
【００１６】
前記制御方法の好ましい技術案において、「総パワーにより、現在作動中の一部又は全部の家庭用電気機器のパワーを選択的に調整し、現在作動していない家庭用電気機器を起動する」のステップは、総パワーが第３パワー閾値以上であると、現在作動中の一部又は全部の家庭用電気機器のパワーを低減してから、現在作動していない家庭用電気機器を起動することをさらに含む。
【００１７】
前記制御方法の好ましい技術案において、「総パワーにより、現在作動中の一部又は全部の家庭用電気機器のパワーを選択的に調整し、現在作動していない家庭用電気機器を起動する」のステップは、総パワーが第３パワー閾値以上であると、現在作動中の一部又は全部の家庭用電気機器を停止してから、現在作動していない家庭用電気機器を起動することをさらに含む。
【００１８】
前記制御方法の好ましい技術案において、「総パワーにより、現在作動中の一部又は全部の家庭用電気機器のパワーを選択的に調整し、現在作動していない家庭用電気機器を起動する」のステップは、総パワーが第３パワー閾値以上であると、現在作動中の一部の家庭用電気機器のパワーを低減してから、現在作動中の一部の家庭用電気機器を停止してから、現在作動していない家庭用電気機器を起動することをさらに含む。
【００１９】
前記制御方法の好ましい技術案において、「パワー情報及び／又は電流情報により、家庭用電気機器のパワーパラメータ及び／又は電流パラメータを選択的に調整する」のステップは、現在作動中の全部の家庭用電気機器の総電流を取得し、総電流により、現在作動中の一部又は全部の家庭用電気機器の電流を選択的に調整することを含む。
【００２０】
前記制御方法の好ましい技術案において、「総電流により、現在作動中の一部又は全部の家庭用電気機器の電流を選択的に調整する」のステップは、総電流が第１電流閾値以上であるかどうかを判断し、総電流が第１電流閾値以上であると、現在作動中の一部又は全部の家庭用電気機器の電流を低減することを含む。
【００２１】
前記制御方法の好ましい技術案において、「総電流により、現在作動中の一部又は全部の家庭用電気機器の電流を選択的に調整する」のステップは、総電流が第１電流閾値以上であるかどうかを判断し、総電流が第１電流閾値以上であると、現在作動中の一部又は全部の家庭用電気機器を停止することを含む。
【００２２】
前記制御方法の好ましい技術案において、「総電流により、現在作動中の一部又は全部の家庭用電気機器の電流を選択的に調整する」のステップは、総電流が第１電流閾値以上であるかどうかを判断し、総電流が第１電流閾値以上であると、現在作動中の一部の家庭用電気機器の電流を低減し、現在作動中の一部の家庭用電気機器を停止することを含む。
【００２３】
前記制御方法の好ましい技術案において、「総電流により、現在作動中の一部又は全部の家庭用電気機器の電流を選択的に調整する」のステップは、総電流が第１電流閾値未満であると、現在作動中の全部の家庭用電気機器の電流を調整しないことをさらに含む。
【００２４】
前記制御方法の好ましい技術案において、「パワー情報及び／又は電流情報により、家庭用電気機器のパワーパラメータ及び／又は電流パラメータを選択的に調整する」のステップは、現在作動中の全部の家庭用電気機器の総電流を取得し、総電流により、現在作動していない家庭用電気機器を選択的に起動することを含む。
【００２５】
前記制御方法の好ましい技術案において、「総電流により、現在作動していない家庭用電気機器を選択的に起動する」のステップは、総電流が第２電流閾値未満であるかどうかを判断し、総電流が第２電流閾値未満であると、現在作動していない家庭用電気機器を起動することを含む。
【００２６】
前記制御方法の好ましい技術案において、「総電流により、現在作動していない家庭用電気機器を選択的に起動する」のステップは、総電流が第２電流閾値以上であると、現在作動していない家庭用電気機器を起動しないことをさらに含む。
【００２７】
前記制御方法の好ましい技術案において、「パワー情報及び／又は電流情報により、家庭用電気機器のパワーパラメータ及び／又は電流パラメータを選択的に調整する」のステップは、現在作動中の全部の家庭用電気機器の総電流を取得し、総電流により、現在作動中の一部又は全部の家庭用電気機器の電流を選択的に調整し、現在作動していない家庭用電気機器を起動することを含む。
【００２８】
前記制御方法の好ましい技術案において、「総電流により、現在作動中の一部又は全部の家庭用電気機器の電流を選択的に調整し、現在作動していない家庭用電気機器を起動する」のステップは、総電流が第３電流閾値未満であるかどうかを判断し、総電流が第３電流閾値未満であると、現在作動していない家庭用電気機器を直接に起動することを含む。
【００２９】
前記制御方法の好ましい技術案において、「総電流により、現在作動中の一部又は全部の家庭用電気機器の電流を選択的に調整し、現在作動していない家庭用電気機器を起動する」のステップは、総電流が第３電流閾値以上であると、現在作動中の一部又は全部の家庭用電気機器の電流を低減してから、現在作動していない家庭用電気機器を起動することをさらに含む。
【００３０】
前記制御方法の好ましい技術案において、「総電流により、現在作動中の一部又は全部の家庭用電気機器の電流を選択的に調整し、現在作動していない家庭用電気機器を起動する」のステップは、総電流が第３電流閾値以上であると、現在作動中の一部又は全部の家庭用電気機器を停止してから、現在作動していない家庭用電気機器を起動することをさらに含む。
【００３１】
前記制御方法の好ましい技術案において、「総電流により、現在作動中の一部又は全部の家庭用電気機器の電流を選択的に調整し、現在作動していない家庭用電気機器を起動する」のステップは、総電流が第３電流閾値以上であると、現在作動中の一部の家庭用電気機器の電流を低減してから、現在作動中の一部の家庭用電気機器を停止してから、現在作動していない家庭用電気機器を起動することをさらに含む。
【００３２】
前記制御方法の好ましい技術案において、「複数の家庭用電気機器のパワー情報及び／又は電流情報を取得する」のステップの前、同時、又は後に、制御方法は、複数の家庭用電気機器の間の作動優先度を含む通信プロトコルを制定し、通信プロトコルに基づいて複数の家庭用電気機器をネットワークに組成することをさらに含む。
【００３３】
前記制御方法の好ましい技術案において、制御方法は、複数の家庭用電気機器を作動優先度の順で作動させることをさらに含む。
【００３４】
前記制御方法の好ましい技術案において、「複数の家庭用電気機器を作動優先度の順で作動させる」のステップは、優先度の低い家庭用電気機器を停止し、優先度の高い家庭用電気機器を起動することを含む。
【００３５】
前記制御方法の好ましい技術案において、「複数の家庭用電気機器を作動優先度の順で作動させる」のステップは、優先度の低い家庭用電気機器のパワー／電流を低減し、優先度の高い家庭用電気機器を起動することを含む。
【００３６】
前記制御方法の好ましい技術案において、「複数の家庭用電気機器を作動優先度の順で作動させる」のステップは、優先度の低い一部の家庭用電気機器を停止し、優先度の低い一部の家庭用電気機器のパワー／電流を低減し、優先度の高い家庭用電気機器を起動することを含む。
【００３７】
前記制御方法の好ましい技術案において、「複数の家庭用電気機器を作動優先度の順で作動させる」のステップは、優先度の高い家庭用電気機器の作動中に、優先度の低い家庭用電気機器の起動を拒絶することを含む。
【００３８】
前記制御方法の好ましい技術案において、制御方法は、分析と処理のためにパワー情報及び／又は電流情報をローカルサーバ又はクラウドサーバにアップロードすることをさらに含む。
【００３９】
他の態様では、本発明は、複数の家庭用電気機器に用いられる統合制御システムをさらに提供する。統合制御システムは、各家庭用電気機器に一々対応して配置され、対応する家庭用電気機器を制御する複数の制御モジュールと、特定の通信プロトコルを介して制御モジュールと通信し、制御モジュールから各家庭用電気機器のパワー及び／又は電流を受信し、制御モジュールに制御指令を送信し、複数の家庭用電気機器を集中制御する集中制御器とを含む。
【００４０】
前記統合制御システムの好ましい技術案において、制御システムは、集中制御器と通信し、複数の家庭用電気機器の総負荷を収集する検針器をさらに含む。
【００４１】
前記統合制御システムの好ましい技術案において、集中制御器は、ローカル制御器又はクラウド制御器である。
【００４２】
さらに別の態様では、本発明は、複数の家庭用電気機器を含むに加え、前記制御システムを含む家庭用電気センターをさらに提供する。
【００４３】
本発明の好ましい技術案において、各家庭用電気機器のパワー情報及び／又は電流情報を取得し、それに応じて家庭用電気機器のパワー及び／又は電流を調整し、及び／又は選択的に一部の家庭用電気機器を起動するか又は一部の家庭用電気機器を停止することで、現在作動中の全部の家庭用電気機器のパワーが過大な場合に、一部の家庭用電気機器の作動パワーを適時に低減するか、或いは一部の家庭用電気機器を直接に停止することができる。現在作動中の全部の家庭用電気機器のパワーが大きくならず、且つ家庭用電制限をはるかに下回る場合に、一部の家庭用電気機器を適切に起動することができる。このような設定により、ユーザーの使用要求を満足することに基づいて、家庭用電気機器の総パワー／総電流が過大であることによるトリップ停電の発生を避け、家庭用電気機器の使用への影響をないにし、ユーザー体験を向上させることができると、当業者により理解されることができる。
【００４４】
さらに、現在作動中の全部の家庭用電気機器の総パワー／総電流が過大な場合に、一部又は全部の家庭用電気機器のパワー／電流を低減したり、一部又は全部の家庭用電気機器を停止したり、一部の家庭用電気機器のパワー／電流を低減するとともに一部の家庭用電気機器を停止したりすることで、全部の家庭用電気機器がピークを避けて作動することと、ユーザーが維持しようとする作動中の家庭用電気機器にトリップ停電による家庭用電気機器がオフ状態で使用不能の状況が発生しないこととを保証できる。
【００４５】
さらに、現在作動中の全部の家庭用電気機器の総パワー／総電流が小さく、且つ家庭用電制限をはるかに下回る場合に、現在作動していない家庭用電気機器を直接に起動することができ、ユーザーがトリップ停電を恐れて家庭用電気機器を起動しなくなる状況を避け、現在作動していない家庭用電気機器のパワー情報及び／又は電流情報に基づいて、条件を満足したときに、作動していない該家庭用電気機器を直接起動する。そのため、トリップ停電が発生することなく、ユーザーは、自身の使用要求に応じて、作動していない家庭用電気機器を柔軟に起動することができ、ユーザー体験が向上する。
【００４６】
さらに、現在作動中の全部の家庭用電気機器の総パワー／総電流が過大な場合に、一部又は全部の家庭用電気機器のパワー／電流を低減したり、一部又は全部の家庭用電気機器を停止したり、一部の家庭用電気機器のパワー／電流を低減するとともに一部の家庭用電気機器を停止したりすることで、現在作動中の全部の家庭用電気機器の総パワーを低減し、よって、現在作動していない他の家庭用電気機器の起動のためにパワー／電流を予め保留し、そのため、トリップ停電が発生することなく他の家庭用電気機器は順調に起動でき、家庭用電気機器の正常な使用が保証され、ユーザーの使用要求が満足され、ユーザー体験が向上する。
【００４７】
さらに、複数の家庭用電気機器の通信プロトコルを制定し、通信プロトコルに基づいて複数の家庭用電気機器をネットワークに組成し、複数の家庭用電気機器にはそれぞれ優先度がある。このような設定により、家庭用電気機器には、それぞれの作動優先度に従って作動する必要があり、ユーザーは、使用中に、優先度の高い家庭用電気機器を作動しようとしたら、現在作動中の家庭用電気機器を停止、且つ／又は現在作動中の家庭用電気機器のパワー／電流を低減することで、優先度の高い家庭用電気機器が順調に起動することが保証される。優先度の高い家庭用電気機器が作動中のときに優先度の低い家庭用電気機器の起動を拒絶することで、複数の家庭用電気機器が互いに規則的、安定して確実に作動し、ユーザー体験がさらに向上する。
【００４８】
また、本発明は、複数の家庭用電気機器に用いられる統合制御システムを提供する。該統合制御システムにより、全部の家庭用電気機器を集中に制御でき、従って、全部の家庭用電気機器が確実に作動することが保証される。それに、特定の通信プロトコルを介して、各家庭用電気機器をより規則的に作動させることで、トリップ停電が発生することなく、家庭用電気機器の正常な使用が保証され、ユーザー体験が向上する。
【００４９】
さらに、本発明により前記技術案に基づいて提供される家庭用電気センターは、前記統合制御システムを採用するため、前記統合制御システムが備える技術効果を有し、且つ、改善前の家庭用電気センターと比較して、本発明の家庭用電気センターは、家庭内でトリップ停電のないことを保証すると同時に、家庭用電気機器の正常な使用が満足され、ユーザー体験が向上する。
【図面の簡単な説明】
【００５０】
図１は、本発明の制御方法のフローチャートである。
【００５１】
図２は、本発明の制御方法の実施例のフローチャートである。
【発明を実施するための形態】
【００５２】
以下、本発明の好ましい実施形態を、図面を参照しながら説明する。当業者は、これらの実施形態が本発明の技術原理を説明するためだけに使用され、本発明の保護範囲を制限するものではないと理解すべきである。
【００５３】
背景技術から示された複数の家庭用電気機器の使用中にトリップ停電が発生した場合に家庭用電気機器の正常な使用に影響するという既存の問題に基づいて、本発明は、家庭用電気機器の制御方法、統合制御システム、及び家庭用電気センターを提供し、家庭内でトリップ停電が発生することなく、家庭用電気機器の正常な使用が満足され、ユーザー体験が向上する。
【００５４】
具体的には、図１に示すように、本発明の制御方法は、複数の家庭用電気機器のパワー情報及び／又は電流情報を取得し、パワー情報及び／又は電流情報に基づいて、家庭用電気機器のパワーパラメータ及び／又は電流パラメータを選択的に調整することを含む。本発明の説明において、家庭用電気機器のパワーパラメータ及び／または電流パラメータを調整するとは、家庭用電気機器のパワー及び／又は電流を上昇、維持又は低減するか、又は家庭用電気機器を起動するか（即ち、パワー及び／又は電流をゼロから上昇させる）、又は家庭用電気機器を停止すること（即ち、パワー及び／又は電流をゼロまで低減する）を意味し。前記数種の方法は、家庭用電気機器についての調整だと理解され、まとめられることができる。また、パワー情報だけで家庭用電気機器を調整してもよく、電流情報だけで家庭用電気機器を調整してもよく、又は、パワー情報及び電流情報両方を共同に基づいて家庭用電気機器を調整してもよい。パワー情報及び／又は電流情報により家庭用電気機器のパワーパラメータ及び／又は電流パラメータの調整を行うことができる限り、当業者は、実用に応じて家庭用電気機器の調整の根拠と方法を柔軟に設定することができる。以下、複数の実施例を組み合わせて、本発明の技術案について詳細に説明する。
【００５５】
実施例１
【００５６】
「パワー情報及び／又は電流情報により、家庭用電気機器のパワーパラメータ及び／又は電流パラメータを選択的に調整する」のステップは、現在作動中の全部の家庭用電気機器の総パワーを取得し、総パワーにより、現在作動中の一部又は全部の家庭用電気機器のパワーを選択的に調整することを含む。このうち、現在作動中の一部の家庭用電気機器のパワーを調整してもよく、現在作動中の全部の家庭用電気機器のパワーを調整してもよい。ユーザーの要求が満足され、且つ家庭内でトリップ停電の発生により家庭用電気機器の正常な使用に影響することない限り、当業者は、実用に応じて家庭用電気機器の具体的な調整方法を柔軟に設定することができる。
【００５７】
一つ可能な実施形態において、「総パワーにより、現在作動中の一部又は全部の家庭用電気機器のパワーを選択的に調整する」のステップは、総パワーが第１パワー閾値以上であるかどうかを判断し、総パワーが第１パワー閾値以上であると、現在作動中の一部又は全部の家庭用電気機器のパワーを低減することを含む。この場合、第１パワー閾値を家庭用パワーの限界パワー値より少し低く設定してもよい。その結果、現在作動中の全部の家庭用電気機器の総パワーが第１パワー閾値以上である場合に、現在作動中の一部又は全部の家庭用電気機器について、直ちにパワーを低減する措置を採用し、トリップ停電の発生を避ける。
【００５８】
他の可能な実施形態において、「総パワーにより、現在作動中の一部又は全部の家庭用電気機器のパワーを選択的に調整する」のステップは、総パワーが第１パワー閾値以上であるかどうかを判断し、総パワーが第１パワー閾値以上であると、現在作動中の一部又は全部の家庭用電気機器を停止することを含む。上記のように、この場合、第１パワー閾値を家庭用パワーの限界パワー値より少し低く設定してもよい。その結果、現在作動中の全部の家庭用電気機器の総パワーが第１パワー閾値以上である場合に、現在作動中の一部又は全部の家庭用電気機器について、直ちに停止する措置を採用し、トリップ停電の発生を避ける。
【００５９】
さらに他の可能な実施形態において、「総パワーにより、現在作動中の一部又は全部の家庭用電気機器のパワーを選択的に調整する」のステップは、総パワーが第１パワー閾値以上であるかどうかを判断し、総パワーが第１パワー閾値以上であると、現在作動中の一部の家庭用電気機器のパワーを低減し、現在作動中の一部の家庭用電気機器を停止することを含む。前記ように、この場合、第１パワー閾値を家庭用パワーの限界パワー値より少し低く設定してもよい。その結果、現在作動中の全部の家庭用電気機器の総パワーが第１パワー閾値以上である場合に、現在作動中の一部の家庭用電気機器について、直ちにパワーを低減する措置を採用し、一部の家庭用電気機器について、直ちに停止する措置を採用し、トリップ停電の発生を避ける。
【００６０】
また、「総パワーにより、現在作動中の一部又は全部の家庭用電気機器のパワーを選択的に調整する」のステップは、総パワーが第１パワー閾値未満であると、現在作動中の全部の家庭用電気機器のパワーを調整しないことをさらに含む。この場合、現在作動中の全部の家庭用電気機器の総パワーがリスク値（即ち、前記第１パワー閾値）に達していないと分かっているため、現在作動中の全部の家庭用電気機器について措置を一時的に採用しなくてもよい。
【００６１】
上記数種の実施形態において、当業者は、第１パワー閾値の具体的な数値を柔軟に設定することができる、例えば、第１パワー閾値を家庭用限界パワー値の０．９倍に設定してもよく、家庭用限界パワー値の０．９５倍に設定してもよいが、他の数値に設定することもできる。このような第１パワー閾値の具体的な数値の変更は、本発明の原理と範囲から逸脱せず、いずれも本発明の保護範囲に属する。
【００６２】
実施例２
【００６３】
「パワー情報及び／又は電流情報により、家庭用電気機器のパワーパラメータ及び／又は電流パラメータを選択的に調整する」のステップは、現在作動中の全部の家庭用電気機器の総パワーを取得し、総パワーにより、現在作動していない家庭用電気機器を選択的に起動することを含む。
【００６４】
一つ可能な実施形態において、「総パワーにより、現在作動していない家庭用電気機器を選択的に起動する」のステップは、総パワーが第２パワー閾値未満であるかどうかを判断し、総パワーが第２パワー閾値未満であると、現在作動していない家庭用電気機器を起動することを含む。この場合、第２パワー閾値を家庭用パワーの限界パワー値よりはるかに低く設定してもよい、その結果、現在作動中の全部の家庭用電気機器の総パワーが第２パワー閾値未満である場合、現在作動していない一部の家庭用電気機器を起動しても、全部の家庭用電気機器の総パワーを大幅に上昇させず、トリップ停電を避けることができる、従って、ユーザーは家庭電気機器を順調に使用できるようになる。
【００６５】
さらに、「総パワーにより、現在作動していない家庭用電気機器を選択的に起動する」のステップは、総パワーが第２パワー閾値以上であると、現在作動していない家庭用電気機器を起動しないことをさらに含む。このような状況では、現在作動中の家庭用電気機器の総パワーがリスク値に達する恐れがあると分かっているため、現在作動していない家庭用電気機器を起動するべきではない。現在作動していない家庭用電気機器を起動する必要がある場合は、実施例１における第１パワー閾値を考慮して二次判断を行うことで、作動していない家庭用電気機器を起動した後トリップ停電が発生する状況がないように保証し、ひいては家庭用電気機器の正常な使用を保証することができる。
【００６６】
前記実施形態において、当業者は、第２パワー閾値の具体的な数値を柔軟に設定することができる、例えば、第２パワー閾値を家庭用限界パワー値の０．５倍に設定してもよく、家庭用限界パワー値の０．６倍に設定してもよいが、他の数値に設定することもできる。このような第２パワー閾値の具体的な数値の変更は、本発明の原理と範囲から逸脱せず、いずれも本発明の保護範囲に属する。
【００６７】
実施例３
【００６８】
「パワー情報及び／又は電流情報により、家庭用電気機器のパワーパラメータ及び／又は電流パラメータを選択的に調整する」のステップは、現在作動中の全部の家庭用電気機器の総パワーを取得し、総パワーにより、現在作動中の一部又は全部の家庭用電気機器のパワーを選択的に調整し、現在作動していない家庭用電気機器を起動することを含む。このうち、実施例１のように、現在作動中の一部の家庭用電気機器のパワーを調整してもよく、現在作動中の全部の家庭用電気機器のパワーを調整してもよい。ユーザーの要求が満足され、且つ家庭内でトリップ停電の発生により家庭用電気機器の正常な使用に影響することない限り、当業者は、実用において家庭用電気機器の具体的な調整方法を柔軟に設定することができる。
【００６９】
具体的には、「総パワーにより、現在作動中の一部又は全部の家庭用電気機器のパワーを選択的に調整し、現在作動していない家庭用電気機器を起動する」のステップは、総パワーが第３パワー閾値未満であるかどうかを判断し、総パワーが第３パワー閾値未満であると、現在作動していない家庭用電気機器を直接に起動することを含む。この場合、第３パワー閾値を家庭用パワーの限界パワー値より少し低く設定してもよい。その結果、現在作動中の全部の家庭用電気機器の総パワーが第３パワー閾値未満である場合に、現在作動していない家庭用電気機器を直接に起動することができる、もちろん、保険を掛けるために、即ちトリップ停電の発生を避けるために、第１パワー閾値を二次判断に導入可能にして、よって、家庭用電気機器の正常な使用に影響しない。
【００７０】
一つ可能な実施形態において、「総パワーにより、現在作動中の一部又は全部の家庭用電気機器のパワーを選択的に調整し、現在作動していない家庭用電気機器を起動する」のステップは、総パワーが第３パワー閾値以上であると、現在作動中の一部又は全部の家庭用電気機器のパワーを低減してから、現在作動していない家庭用電気機器を起動することをさらに含む。この場合、現在作動中の全部の家庭用電気機器の総パワーが第３パワー閾値以上である場合に、現在作動中の一部又は全部の家庭用電気機器について、直ちにパワーを低減する措置を採用し、ユーザーが使用しようとする家庭用電気機器を起動し、トリップ停電の発生を避けた上で家庭用電気機器の正常な使用を保証する。
【００７１】
さらに一つ可能な実施形態において、「総パワーにより、現在作動中の一部又は全部の家庭用電気機器のパワーを選択的に調整し、現在作動していない家庭用電気機器を起動する」のステップは、総パワーが第３パワー閾値以上であると、現在作動中の一部又は全部の家庭用電気機器を停止してから、現在作動していない家庭用電気機器を起動することをさらに含む。前記実施形態のように、この場合、現在作動中の全部の家庭用電気機器の総パワーが第３パワー閾値以上である場合に、現在作動中の一部又は全部の家庭用電気機器について、直ちに停止する措置を採用し、トリップ停電の発生を避けた上で家庭用電気機器の正常な使用を保証する。
【００７２】
さらに一つ可能な実施形態において、「総パワーにより、現在作動中の一部又は全部の家庭用電気機器のパワーを選択的に調整し、現在作動していない家庭用電気機器を起動する」のステップは、総パワーが第３パワー閾値以上であると、現在作動中の一部の家庭用電気機器のパワーを低減し、現在作動中の一部の家庭用電気機器を停止してから、現在作動していない家庭用電気機器を起動することをさらに含む。前記実施形態に類似するように、この場合、現在作動中の全部の家庭用電気機器の総パワーが第３パワー閾値以上である場合に、現在作動中の一部の家庭用電気機器について、直ちにパワーを低減する措置を採用し、一部の家庭用電気機器について、直ちに停止する措置を採用し、トリップ停電の発生を避けた上で家庭用電気機器の正常な使用を保証する。
【００７３】
上記幾つの実施形態において、当業者は、第３パワー閾値の具体的な数値を柔軟に設定することができる、例えば、第３パワー閾値を家庭用限界パワー値の０．７倍に設定してもよく、家庭用限界パワー値の０．８倍に設定してもよいが、他の数値に設定することもできる。このような第３パワー閾値の具体的な数値の変更は、本発明の原理と範囲から逸脱せず、いずれも本発明の保護範囲に属する。
【００７４】
上記は、パワー情報により判断を行い、家庭用電気機器のパワーを選択的に調整するが、もちろん、実装形態では、電流情報により判断を行い、家庭用電気機器の電流を選択的に調整することもできる。
【００７５】
実施例４
【００７６】
「パワー情報及び／又は電流情報により、家庭用電気機器のパワーパラメータ及び／又は電流パラメータを選択的に調整する」のステップは、現在作動中の全部の家庭用電気機器の総電流を取得し、総電流により、現在作動中の一部又は全部の家庭用電気機器の電流を選択的に調整することを含む。このうち、現在作動中の一部の家庭用電気機器の電流を調整してもよく、現在作動中の全部の家庭用電気機器の電流を調整してもよい。ユーザーの要求が満足され、且つ家庭内でトリップ停電の発生により家庭用電気機器の正常な使用に影響することがない限り、当業者は、実用に応じて家庭用電気機器の具体的な調整方法を柔軟に設定することができる。
【００７７】
一つ可能な実施形態において、「総電流により、現在作動中の一部又は全部の家庭用電気機器の電流を選択的に調整する」のステップは、総電流が第１電流閾値以上であるかどうかを判断し、総電流が第１電流閾値以上であると、現在作動中の一部又は全部の家庭用電気機器の電流を低減することを含む。この場合、第１電流閾値を家庭用電流の限界電流値より少し低く設定してもよい。その結果、現在作動中の全部の家庭用電気機器の総電流が第１電流閾値以上である場合に、現在作動中の一部又は全部の家庭用電気機器について、直ちに電流を低減する措置を採用し、トリップ停電の発生を避ける。
【００７８】
他の可能な実施形態において、「総電流により、現在作動中の一部又は全部の家庭用電気機器の電流を選択的に調整する」のステップは、総電流が第１電流閾値以上であるかどうかを判断し、総電流が第１電流閾値以上であると、現在作動中の一部又は全部の家庭用電気機器を停止することを含む。上記のように、この場合、第１電流閾値を家庭用電流の限界電流値より少し低く設定してもよい。その結果、現在作動中の全部の家庭用電気機器の総電流が第１電流閾値以上である場合に、現在作動中の一部又は全部の家庭用電気機器について、直ちに停止する措置を採用し、トリップ停電の発生を避ける。
【００７９】
「総電流により、現在作動中の一部又は全部の家庭用電気機器の電流を選択的に調整する」のステップは、総電流が第１電流閾値以上であるかどうかを判断し、総電流が第１電流閾値以上であると、現在作動中の一部の家庭用電気機器の電流を低減し、現在作動中の一部の家庭用電気機器を停止することを含む。上記のように、この場合、第１電流閾値を家庭用電流の限界電流値より少し低く設定してもよい。その結果、現在作動中の全部の家庭用電気機器の総電流が第１電流閾値以上である場合に、現在作動中の一部の家庭用電気機器について、直ちに電流を低減する措置を採用し、一部の家庭用電気機器について、直ちに停止する措置を採用し、トリップ停電の発生を避ける。
【００８０】
また、「総電流により、現在作動中の一部又は全部の家庭用電気機器の電流を選択的に調整する」のステップは、総電流が第１電流閾値未満であると、現在作動中の全部の家庭用電気機器の電流を調整しないことをさらに含む。この場合、現在作動中の全部の家庭用電気機器の総電流がリスク値（即ち、前記第１電流閾値）に達していないと分かっているため、現在作動中の全部の家庭用電気機器について措置を一時的に採用しなくてもよい。
【００８１】
上記数種の実施形態において、当業者は、第１電流閾値の具体的な数値を柔軟に設定することができる、例えば、第１電流閾値を家庭用限界電流値の０．９倍に設定してもよく、家庭用限界電流値の０．９５倍に設定してもよいが、他の数値に設定することもできる。このような第１電流閾値の具体的な数値の変更は、本発明の原理と範囲から逸脱せず、いずれも本発明の保護範囲に属する。
【００８２】
実施例５
【００８３】
「パワー情報及び／又は電流情報により、家庭用電気機器のパワーパラメータ及び／又は電流パラメータを選択的に調整する」のステップは、現在作動中の全部の家庭用電気機器の総電流を取得し、総電流により、現在作動していない家庭用電気機器を選択的に起動することを含む。
【００８４】
一つ可能な実施形態において、「総電流により、現在作動していない家庭用電気機器を選択的に起動する」のステップは、総電流が第２電流閾値未満であるかどうかを判断し、総電流が第２電流閾値未満であると、現在作動していない家庭用電気機器を起動することを含む。この場合、第２電流閾値を家庭用電流の限界電流値よりはるかに低く設定してもよい、その結果、現在作動中の全部の家庭用電気機器の総電流が第２電流閾値を下回る場合、現在作動していない一部の家庭用電気機器を起動しても、全部の家庭用電気機器の総電流を大幅に上昇させず、トリップ停電を避けるぉとができる、従って、ユーザーは家庭電気機器を順調に使用できるようになる。
【００８５】
さらに、「総電流により、現在作動していない家庭用電気機器を選択的に起動する」のステップは、総電流が第２電流閾値以上であると、現在作動していない家庭用電気機器を起動しないことをさらに含む。このような状況では、現在作動中の家庭用電気機器の総電流がリスク値に達する恐れがあると分かっているため、現在作動していない家庭用電気機器を起動するべきではない。現在作動していない家庭用電気機器を起動する必要がある場合は、実施例４における第１電流閾値を考慮して二次判断を行うことで、作動していない家庭用電気機器を起動した後トリップ停電が発生する状況ないように保証し、家庭用電気機器の正常な使用を保証することができる。
【００８６】
前記実施形態において、当業者は、第２電流閾値の具体的な数値を柔軟に設定することができる、例えば、第２電流閾値を家庭用限界電流値の０．５５倍に設定してもよく、家庭用限界電流値の０．６倍に設定してもよいが、他の数値に設定することもできる。このような第２電流閾値の具体的な数値の変更は、本発明の原理と範囲から逸脱せず、いずれも本発明の保護範囲に属する。
【００８７】
実施例６
【００８８】
「パワー情報及び／又は電流情報により、家庭用電気機器のパワーパラメータ及び／又は電流パラメータを選択的に調整する」のステップは、現在作動中の全部の家庭用電気機器の総電流を取得し、総電流により、現在作動中の一部又は全部の家庭用電気機器の電流を選択的に調整し、現在作動していない家庭用電気機器を起動することを含む。このうち、実施例４のように、現在作動中の一部の家庭用電気機器の電流を調整してもよく、現在作動中の全部の家庭用電気機器の電流を調整してもよい。ユーザーの要求が満足され、且つ家庭内でトリップ停電の発生により家庭用電気機器の正常な使用に影響することない限り、当業者は、実用に応じて家庭用電気機器の具体的な調整方法を柔軟に設定することができる。
【００８９】
具体的には、「総電流により、現在作動中の一部又は全部の家庭用電気機器の電流を選択的に調整し、現在作動していない家庭用電気機器を起動する」のステップは、総電流が第３電流閾値未満であるかどうかを判断し、総電流が第３電流閾値未満であると、現在作動していない家庭用電気機器を直接に起動することを含む。この場合、第３電流閾値を家庭用電流の限界電流値より少し低く設定してもよい。その結果、現在作動中の全部の家庭用電気機器の総電流が第３電流閾値未満である場合に、現在作動していない家庭用電気機器を直接に起動することができる、もちろん、念のために、即ちトリップ停電の発生を避けるために、第１電流閾値を二次判断に導入してもよい、従って、家庭用電気機器の正常な使用に影響しないようになる。
【００９０】
一つ可能な実施形態において、「総電流により、現在作動中の一部又は全部の家庭用電気機器の電流を選択的に調整し、現在作動していない家庭用電気機器を起動する」のステップは、総電流が第３電流閾値以上であると、現在作動中の一部又は全部の家庭用電気機器の電流を低減してから、現在作動していない家庭用電気機器を起動することをさらに含む。この場合、現在作動中の全部の家庭用電気機器の総電流が第３電流閾値以上である場合に、現在作動中の一部又は全部の家庭用電気機器について、直ちに電流を低減する措置を採用し、ユーザーが使用しようとする家庭用電気機器を起動し、トリップ停電の発生を避けた上で家庭用電気機器の正常な使用を保証する。
【００９１】
さらに一つ可能な実施形態において、「総電流により、現在作動中の一部又は全部の家庭用電気機器の電流を選択的に調整し、現在作動していない家庭用電気機器を起動する」のステップは、総電流が第３電流閾値以上であると、現在作動中の一部又は全部の家庭用電気機器を停止してから、現在作動していない家庭用電気機器を起動することをさらに含む。前記実施形態のように、この場合、現在作動中の全部の家庭用電気機器の総電流が第３電流閾値以上である場合に、現在作動中の一部又は全部の家庭用電気機器について、直ちに停止する措置を採用し、トリップ停電の発生を避けた上で家庭用電気機器の正常な使用を保証する。
【００９２】
さらに一つ可能な実施形態において、「総電流により、現在作動中の一部又は全部の家庭用電気機器の電流を選択的に調整し、現在作動していない家庭用電気機器を起動する」のステップは、総電流が第３電流閾値以上であると、現在作動中の一部の家庭用電気機器の電流を低減し、現在作動中の一部の家庭用電気機器を停止してから、現在作動していない家庭用電気機器を起動することをさらに含む。前記実施形態のように、この場合、現在作動中の全部の家庭用電気機器の総電流が第３電流閾値以上である場合に、現在作動中の一部の家庭用電気機器について、直ちに電流を低減する措置を採用し、一部の家庭用電気機器について、直ちに停止する措置を採用し、トリップ停電の発生を避けた上で家庭用電気機器の正常な使用を保証する。
【００９３】
上記数種類の実施形態において、当業者は、第３電流閾値の具体的な数値を柔軟に設定することができる、例えば、第３電流閾値を家庭用限界電流値の０．７５倍に設定してもよく、家庭用限界電流値の０．８倍に設定してもよいが、他の数値に設定することもできる。このような第３電流閾値の具体的な数値の変更は、本発明の原理と範囲から逸脱せず、いずれも本発明の保護範囲に属する。
【００９４】
好ましくは、「複数の家庭用電気機器のパワー情報及び／又は電流情報を取得する」のステップの前、同時、又は後に、本発明の制御方法は、さらに複数の家庭用電気機器の間の通信プロトコルを制定することを備え、その中、その通信プロトコルが複数の家庭用電気機器の間の優先度を含む。本発明において、「複数の家庭用電気機器のパワー情報及び／又は電流情報を取得する」のステップの前、同時、又は後に、複数の家庭用電気機器の間の通信プロトコルを制定することができる。通信プロトコルを介して、複数の家庭用電気機器を制御できる限り、当業者は、複数の家庭用電気機器の間の通信プロトコルを制定するタイミングを柔軟に設定することができる。例えば、一つ可能な実施形態においては、図２に示すように、複数の家庭用電気機器の間の通信プロトコルを制定してから、通信プロトコルに基づいて複数の家庭用電気機器をネットワークに組成し、それから複数の家庭用電気機器のパワー情報及び／又は電流情報を取得し、最後に、パワー情報及び／又は電流情報に基づいて、家庭用電気機器のパワーパラメータ及び／又は電流パラメータを選択的に調整する。
【００９５】
具体的には、複数の家庭用電気機器を作動パワーやユーザーの使用要求（例えば、ユーザーの使用回数等）に応じてグループに分けて、各グループ内に少なくとも１つの対応する家庭用電気機器があり、そして、グループ毎に優先度順位を付け。実際の使用の過程においては、複数の家庭用家庭を作動優先度の順に作動させることができる、即ち、優先度の高いグループ内の家庭用電気機器が作動の優先権を有し、優先度の低いグループ内の家庭用電気機器は、優先度の高い電気機器が使用されていない場合にのみ作動する。このような方法で、家庭用電気機器について優先度制御を行い、家庭用電気機器を通信プロトコルにおける優先度に応じてピークを避けて作動させ、トリップ停電の発生を避けることができる。
【００９６】
この中、通信プロトコルに基づいて複数の家庭用電気機器をネットワークに組成する前記方法は、ローカルエリアネットワークによって実現され得る、即ち、家庭内でローカルエリアネットワークを設定し、各家庭用電気機器をローカルエリアネットワーク内に位置させることで、各家庭用電気機器を便利に集中制御することができる。
【００９７】
一つ可能な場合において、「複数の家庭用電気機器を作動優先度の順で作動させる」のステップは、優先度の低い家庭用電気機器を停止し、優先度の高い家庭用電気機器を起動することを含む。このような場合では、優先度の高い家庭用電気機器自身のパワー及び／又は電流が大きく、且つ起動する必要があるとしたら、トリップ停電が発生しないために、優先度の低い一部又は全部の家庭用電気機器を停止する必要があり、優先度の高い家庭用電気機器のためにパワー及び／又は電流を予め保留し、優先度の高い家庭用電気機器が順調に作動することを保証する。
【００９８】
さらに一つ可能な場合において、「複数の家庭用電気機器を作動優先度の順で作動させる」のステップは、優先度の低い家庭用電気機器のパワー及び／又は電流を低減し、優先度の高い家庭用電気機器を起動することを含む。このような場合では、優先度の高い家庭用電気機器自身のパワー及び／又は電流が小さく、且つ起動する必要があるとしたら、トリップ停電が発生しないために、優先度の低い家庭用電気機器のパワー／電流を低減するだけで、優先度の高い家庭用電気機器のためにパワー及び／又は電流を予め保留でき、優先度の高い家庭用電気機器が順調に作動することを保証する。
【００９９】
さらに一つ可能な場合において、「複数の家庭用電気機器を作動優先度の順で作動させる」のステップは、優先度の低い一部の家庭用電気機器を停止し、優先度の低い一部の家庭用電気機器のパワー／電流を低減し、優先度の高い家庭用電気機器を起動することを含む。このような場合では、優先度の高い家庭用電気機器自身のパワー及び／又は電流が中間程度（即ち、パワー／電流が大きいと小さいの間である）、且つ起動する必要があるとしたら、トリップ停電が発生しないために、優先度の低い一部の家庭用電気機器はパワー／電流を低減し、一部の家庭用電気機器は停止する必要があり、優先度の高い家庭用電気機器のためにパワー及び／又は電流を予め保留し、優先度の高い家庭用電気機器が順調に作動することを保証する。
【０１００】
もちろん、前記数種類の場合において、優先度の高い家庭用電気機器の起動が優先度の低い家庭用電気機器への調整は一例であり、各場合を限定するものではない。例えば、優先度の高い家庭用電気機器が起動しても、総パワー及び／又は総電流は家庭用のパワー制限を超えなければ、優先度の低い家庭用電気機器にパワー及び／又は電流を調整したり、優先度の低い家庭用電気機器を停止したりする必要はなくなる。
【０１０１】
さらに一つ可能な場合において、「複数の家庭用電気機器を作動優先度の順で作動させる」のステップは、優先度の高い家庭用電気機器が作動中の場合、優先度の低い家庭用電気機器の起動を拒絶することを含む。このような場合では、優先度の高い家庭用電気機器を停止できなく、且つ優先度の低い家庭用電気機器を起動するとトリップ停電が発生する可能性がある場合は、優先度の低い家庭用電気機器の起動を拒絶する必要があるか、又はできる限り低パワー／低電流の方法で優先度の低い家庭用電気機器を起動する必要がある。
【０１０２】
前記方法において、同一の優先度順位を有する２つの家庭用電気機器を同時に作動させることができない場合には、その一方の家庭用電気機器を作動するか、又は２つの家庭用パワーを低パワー／低電流の方法で同時に作動するかを選択することができる。
【０１０３】
好ましくは、本発明の制御方法は、分析と処理のためにパワー情報及び／又は電流情報をローカルサーバ又はクラウドサーバにアップロードすることをさらに含む。即ち、パワー情報及び／又は電流情報の解析と処理を、ローカルサーバを介して行ってもよく、パワー情報及び／又は電流情報の解析と処理を、クラウドサーバを介して行ってもよいし、パワー情報及び／又は電流情報の解析と処理を、ローカルサーバとクラウドサーバとを同時に介して行ってもよい。パワー情報及び／又は電流情報の分析と処理を行うことができる限り、当業者は、実装状態でパワー及び／又は電流情報の処理方法を柔軟に設定することができる。
【０１０４】
好ましくは、本発明は、複数の家庭用電気機器に用いられる統合制御システムをさらに提供する。統合制御システムは、各家庭用電気機器に一々対応して配置され、対応する家庭用電気機器を制御する複数の制御モジュールと、特定の通信プロトコルを介して制御モジュールと通信し、制御モジュールから各家庭用電気機器のパワー及び／又は電流を受信し、制御モジュールに制御指令を送信し、複数の家庭用電気機器を集中制御する集中制御器とを含む。このうち、集中制御器と制御モジュールとの通信方式は、従来の電気的接続方式を採用してもよく、無線伝送方式を採用してもよく、ブルートゥース伝送方式を採用してもよい、要するに、集中制御器を介して制御モジュールから各家庭用電気機器のパワー及び／又は電流を受信し、且つ制御モジュールに制御指令を送信し、複数の家庭用電気機器を集中制御することができる限り、当業者は、実装状態で集中制御と制御モジュールとの間の伝送方式を柔軟に設定することができる。また、集中制御器を、統合した方式で設定してもよく、独立した方式で設定してもよい。
【０１０５】
さらに好ましくは、本発明の制御システムは、集中制御器と通信し、複数の家庭用電気機器の総負荷を収集する検針器をさらに含む。複数の家庭用電気機器の総負荷を収集し、分析と処理のために集中制御器に総負荷データを伝送することで、全部の家庭用電気機器を便利に統合制御する。
【０１０６】
上記の類似するように、集中制御器はローカル制御器又はクラウド制御器である。即ち、パワー情報及び／又は電流情報の解析と処理を、ローカルサーバを介して行ってもよく、パワー情報及び／又は電流情報の解析と処理を、クラウドサーバを介して行ってもよいし、パワー情報及び／又は電流情報の解析と処理を、ローカルサーバとクラウドサーバとを同時に介して行ってもよい。
【０１０７】
また、本発明は、複数の家庭用電気機器を含むに加え、前記制御システムを含む家庭用電気センターをさらに提供する。本発明においては、一部の家庭用電気機器を集中配置することができる、例えば複数の洗浄設備（例えば、洗濯機、乾燥機、アイロン機、フォールディング機等）を一体に組み立てて洗浄センターを形成し、そして、一つの集中制御器又は総線路通信の方式で処理してもよい。複数の家庭用電気機器を集中制御することができる限り、当業者は、実装状態で複数の家庭用電気機器の制御方式を柔軟に設定することができる、このような制御方式の変更は、本発明の原理と範囲から逸脱せず、いずれも本発明の保護範囲に属する。
【０１０８】
これで、本発明の技術案を、図面に示された好ましい実施形態と合わせて説明したが、本発明の保護範囲がこれらの具体的な実施形態に限定されないことは、当業者には容易に理解される。本発明の原理から逸脱することなく、当業者は、関連する技術的特徴に対して同等の変更又は置換を行うことができ、これらの変更又は置換後の技術案はいずれも、本発明の保護範囲に含まれる。
【図１】
2021530959.tif 000003
【図２】
2021530959.tif 000004
【手続補正書】
【提出日】令和2年12月16日(2020.12.16)
【手続補正１】
【補正対象書類名】特許請求の範囲
【補正対象項目名】全文
【補正方法】変更
【補正の内容】
【特許請求の範囲】
【請求項１】
複数の家庭用電気機器のパワー情報及び／又は電流情報を取得し、
前記パワー情報及び／又は前記電流情報に基づいて、家庭用電気機器のパワーパラメータ及び／又は電流パラメータを選択的に調整することを含む
ことを特徴とする家庭用電気機器の制御方法。
【請求項２】
「前記パワー情報及び／又は前記電流情報により、家庭用電気機器のパワーパラメータ及び／又は電流パラメータを選択的に調整する」のステップは、
現在作動中の全部の家庭用電気機器の総パワー及び／又は総電流を取得し、
前記総パワー及び／又は総電流により、現在作動中の一部又は全部の家庭用電気機器のパワー及び／又は電流を選択的に調整することを含む
ことを特徴とする請求項１に記載の制御方法。
【請求項３】
「前記総パワー及び／又は総電流により、現在作動中の一部又は全部の家庭用電気機器のパワー及び／又は電流を選択的に調整する」のステップは、
前記総パワー及び／又は総電流が第１パワー閾値及び／又は第１電流閾値以上であるかどうかを判断し、
前記総パワー及び／又は総電流が前記第１パワー閾値及び／又は前記第１電流閾値以上であると、現在作動中の一部又は全部の家庭用電気機器のパワー及び／又は電流を低減するか、或いは現在作動中の一部又は全部の家庭用電気機器を停止するか、或いは現在作動中の一部の家庭用電気機器のパワー及び／又は電流を低減すると共に現在作動中の一部の家庭用電気機器を停止し、
前記総パワー及び／又は総電流が前記第１パワー及び／又は前記第１電流閾値未満であると、現在作動中の全部の家庭用電気機器のパワー及び／又は電流を調整しないことを含む
ことを特徴とする請求項２に記載の制御方法。
【請求項４】
「前記パワー情報及び／又は前記電流情報により、家庭用電気機器のパワーパラメータ及び／又は電流パラメータを選択的に調整する」のステップは、
現在作動中の全部の家庭用電気機器の総パワー及び／又は総電流を取得し、
前記総パワー及び／又は総電流により、現在作動していない家庭用電気機器を選択的に起動することを含む
ことを特徴とする請求項１に記載の制御方法。
【請求項５】
「前記総パワー及び／又は総電流により、現在作動していない家庭用電気機器を選択的に起動する」のステップは、
前記総パワー及び／又は総電流が第２パワー閾値及び／又は第２電流閾値未満であるかどうかを判断し、
前記総パワー及び／又は総電流が前記第２パワー閾値及び／又は第２電流閾値未満であると、現在作動していない家庭用電気機器を起動し、
前記総パワー及び／又は総電流が前記第２パワー閾値及び／又は前記第２電流閾値以上であると、現在作動していない家庭用電気機器を起動しないことを含む
ことを特徴とする請求項４に記載の制御方法。
【請求項６】
「前記パワー情報及び／又は前記電流情報により、家庭用電気機器のパワーパラメータ及び／又は電流パラメータを選択的に調整する」のステップは、
現在作動中の全部の家庭用電気機器の総パワー及び／又は総電流を取得し、
前記総パワー及び／又は総電流により、現在作動中の一部又は全部の家庭用電気機器のパワー及び／又は電流を選択的に調整し、現在作動していない家庭用電気機器を起動することを含む
ことを特徴とする請求項１に記載の制御方法。
【請求項７】
「前記総パワー及び／又は総電流により、現在作動中の一部又は全部の家庭用電気機器のパワー及び／又は電流を選択的に調整し、現在作動していない家庭用電気機器を起動する」のステップは、
前記総パワー及び／又は総電流が第３パワー閾値及び／又は第３電流閾値未満であるかどうかを判断し、
前記総パワー及び／又は総電流が前記第３パワー閾値及び／又は前記第３電流閾値未満であると、現在作動していない家庭用電気機器を直接に起動し、
前記総パワー及び／又は総電流が前記第３パワー閾値及び／又は前記第３電流閾値以上であると、現在作動中の一部又は全部の家庭用電気機器を停止してから、現在作動していない家庭用電気機器を起動し、
前記総パワー及び／又は総電流が前記第３パワー閾値及び／又は前記第３電流閾値以上であると、現在作動中の一部又は全部の家庭用電気機器のパワー及び／又は電流を低減してから、現在作動していない家庭用電気機器を起動し、
前記総パワー及び／又は総電流が前記第３パワー閾値及び／又は前記第３電流閾値以上であると、現在作動中の一部の家庭用電気機器のパワー及び／又は電流を低減し、現在作動中の一部の家庭用電気機器を停止してから、現在作動していない家庭用電気機器を起動することを含む
ことを特徴とする請求項６に記載の制御方法。
【請求項８】
「複数の家庭用電気機器のパワー情報及び／又は電流情報を取得する」のステップの前、同時、又は後に、
前記複数の家庭用電気機器の間の通信プロトコルを制定し、ただし、前記通信プロトコルが前記複数の家庭用電気機器の間の作動優先度を含み、
前記通信プロトコルに基づいて前記複数の家庭用電気機器をネットワークに組成し、
前記複数の家庭用電気機器を前記作動優先度の順で作動させることを含む
ことを特徴とする請求項１に記載の制御方法。
【請求項９】
「前記複数の家庭用電気機器を前記作動優先度の順で作動させる」のステップは、
優先度の低い家庭用電気機器を停止し、優先度の高い家庭用電気機器を起動し、及び／又は、
優先度の低い家庭用電気機器のパワー／電流を低減し、優先度の高い家庭用電気機器を起動し、及び／又は、
優先度の低い一部の家庭用電気機器を停止し、優先度の低い一部の家庭用電気機器のパワー／電流を低減し、優先度の高い家庭用電気機器を起動し、及び／又は、
優先度の高い家庭用電気機器の作動中に、優先度の低い家庭用電気機器の起動を拒絶することを含む
ことを特徴とする請求項８に記載の制御方法。
【請求項１０】
複数の家庭用電気機器に用いられる統合制御システムであって、
家庭用電気機器ごとに対応して配置され、対応する家庭用電気機器を制御する複数の制御モジュールと、
特定の通信プロトコルを介して前記制御モジュールと通信し、前記制御モジュールから家庭用電気機器毎のパワー及び／又は電流を受信し、且つ前記制御モジュールに制御指示を送信することで、前記複数の家庭用電気機器を集中制御する集中制御器と、を備える
ことを特徴とする統合制御システム。
【国際調査報告】
2021530959.tif 000005
2021530959.tif 000006
2021530959.tif 000007
2021530959.tif 000008